(57)【要約】【課題】ラック上の立て置き姿勢の各パネルの倒れを防止でき、かつ任意のパネルの抜き出しを可能としたうえで、ラック上にパネルの積載スペースを広く取ることができるパネル支持装置を提案する。【解決手段】パネル支持装置１は、ラック２上の複数のパネル３の上端部を支持することのできる装置である。パネル支持装置１は、複数のパネル３の下方に配される底部材４と、支柱５と、パネル３の上端部に被せられ、互いに連結可能である複数の上支持具６と、複数の上支持具６のうちの１つを支える側部材７を備える。複数のパネル３のうち一部が抜き出されてスペースＳ１が形成されたとき、底部材４のうちスペースＳ１の下方の部分に支柱５の下端部が取り付け可能であり、支柱５の受け部５０に支持された１つの上支持具６と、これに隣接する他の上支持具６とが連結可能である。【選択図】図１
2019116316.tif 000002
【特許請求の範囲】
【請求項１】
ラックと共に用いられ、前記ラック上に立て置き姿勢で間隔をあけて並んだ複数のパネルの上端部を支持することのできるパネル支持装置であって、
前記複数のパネルの下方に配される底部材と、
前記底部材に取り付けられる下端部を有し、且つその上部に受け部を有する少なくとも１つの支柱と、
前記複数のパネルの上端部のそれぞれに被せられ、互いに連結可能である複数の上支持具と、
前記複数のパネルの側方に配され、互いに連結された状態にある前記複数の上支持具を支える側部材と、
を備え、
前記受け部は、前記複数の上支持具のうちの１つの上支持具を支持可能であり、
前記複数のパネルのうち一部のパネルが抜き出されてスペースが形成されたとき、前記底部材のうち前記スペースの下方の部分に前記支柱の下端部が取り付け可能であり、かつこの支柱の前記受け部に支持された前記１つの上支持具と、これに隣接する他の上支持具とが連結可能であることを特徴とするパネル支持装置。
【請求項２】
前記複数の上支持具のそれぞれは、
前記複数のパネルのうちの１つのパネルの上端部の一部に取り付けられる第一部材と、
前記第一部材の上から前記１つのパネルの上端部に被せられる第二部材と、を含み、
前記第一部材は、前記１つのパネルの上端部の側方において上方に開口するように設けられた溝部を有し、
前記第二部材は、前記溝部に接続される第一接続片と、前記１つのパネルの上端部を挟んで前記第一接続片とは反対側に位置する第二接続片と、を有し、
前記複数の上支持具のうち隣接する２つの上支持具は、一方の上支持具の前記溝部に、他方の上支持具の前記第二接続片が接続されることで、互いに連結されることを特徴とする請求項１に記載のパネル支持装置。
【請求項３】
前記複数の上支持具のそれぞれは、
前記複数のパネルのうちの１つのパネルの上端部に被せられる部材と、
前記部材と一体に設けられ、隣接する他の上支持具に対して平面視において重ならない形態で連結する連結構造と、を含むことを特徴とする請求項１に記載のパネル支持装置。
【請求項４】
前記複数の上支持具のそれぞれは、
前記複数のパネルのうちの１つのパネルの上端部に被せられる部材と、
前記部材と一体に設けられ、隣接する他の上支持具に対して平面視において重なる形態で連結し、かつ連結を解除した状態で、隣接する他の上支持具に対して平面視において重ならない形態へと移動可能な連結構造と、を含むことを特徴とする請求項１に記載のパネル支持装置。
【請求項５】
前記底部材は、上方に開口し、前記複数のパネルの下方に位置する長溝を有し、
前記支柱は、前記下端部が前記長溝に嵌め込まれるように構成されていることを特徴とする請求項１乃至４のいずれか一項に記載のパネル支持装置。
【請求項６】
前記長溝の長手方向の一部は、残りの部分よりも溝幅が大きい抜き出し部であり、
前記支柱は、前記抜き出し部を通じて抜き出し可能であることを特徴とする請求項５に記載のパネル支持装置。
【発明の詳細な説明】
【技術分野】
【０００１】
本発明は、パネル支持装置に関する。
【背景技術】
【０００２】
特許文献１には、複数の建築用パネルが立て置き姿勢で間隔をあけて並ぶように積載されるラックが記載されている。
【０００３】
このラックでは、立て置き姿勢の各建築用パネルの倒れを防止するためと、任意の建築用パネルの抜き出しを可能とするために、下記のような構成とされている。
【０００４】
すなわち、このラックでは、建築用パネルと交互に並ぶように支柱が設けられ、隣接する支柱間に架け渡されるように上支持部が着脱自在に取り付けられ、各上支持部によって各建築用パネルの上端部が支持されている。
【先行技術文献】
【特許文献】
【０００５】
【特許文献１】特開２０１７−５２５６１号公報
【発明の概要】
【発明が解決しようとする課題】
【０００６】
ところで、上述した特許文献１に記載のラックでは、ラック上に、建築用パネルの積載スペースとは別に、複数の支柱の設置スペースがあるため、ラック上の建築用パネルの積載スペースが狭くなるといった問題がある。
【０００７】
上記事情に鑑みて、本発明は、ラック上の立て置き姿勢の各パネルの倒れを防止でき、かつ任意のパネルの抜き出しを可能としたうえで、ラック上にパネルの積載スペースを広く取ることができるパネル支持装置を提案することを、目的とする。
【課題を解決するための手段】
【０００８】
本発明に係る一態様のパネル支持装置は、ラックと共に用いられ、前記ラック上に立て置き姿勢で間隔をあけて並んだ複数のパネルの上端部を支持することのできるパネル支持装置である。
【０００９】
一態様のパネル支持装置は、前記複数のパネルの下方に配される底部材と、前記底部材に取り付けられる下端部を有し、且つその上部に受け部を有する少なくとも１つの支柱と、前記複数のパネルの上端部のそれぞれに被せられ、互いに連結可能である複数の上支持具と、前記複数のパネルの側方に配され、前記複数の上支持具のうちの１つを支える側部材と、を備える。前記受け部は、前記複数の上支持具のうちの１つの上支持具を支持可能である。
【００１０】
一態様のパネル支持装置は、前記複数のパネルのうち一部のパネルが抜き出されてスペースが形成されたとき、前記底部材のうち前記スペースの下方の部分に前記支柱の下端部が取り付け可能であり、かつこの支柱の前記受け部に支持された前記１つの上支持具と、これに隣接する他の上支持具とが連結可能である。
【発明の効果】
【００１１】
本発明では、ラック上の立て置き姿勢の各パネルの倒れを防止でき、かつ任意のパネルの抜き出しを可能としたうえで、ラック上にパネルの積載スペースを広く取ることができるパネル支持装置を提案することができる。
【図面の簡単な説明】
【００１２】
【図１】図１は、本発明に係る一実施形態のパネル支持装置を用いて、ラック上の複数のパネルの上端部を支持した状態を示す斜視図である。
【図２】図２Ａ、図２Ｂは、同上のラックの要部を示す正面図であり、図２Ａは、複数のパネルが立て置き姿勢で間隔をあけて並ぶ状態の図であり、図２Ｂは、複数のパネルが立て置き姿勢で重なって並ぶ状態の図である。
【図３】図３は、同上のパネルを示す正面断面図である。
【図４】図４は、図１のＡ―Ａ線における断面図であり、ラック及び隙間形成部材の図示を省略した図である。
【図５】図５は、同上のパネル支持装置を示す斜視図であり、複数の上支持具、連結具及び第二連結具の図示を省略した図である。
【図６】図６は、図５のＢ部を示す拡大した斜視図である。
【図７】図７は、図５のＣ―Ｃ線における断面図である。
【図８】図８は、同上のパネル支持装置の支柱を示す斜視図である。
【図９】図９Ａは、同上のパネル支持装置の上支持具の第一部材を示す斜視図であり、図９Ｂは、同上の上支持具の第二部材を示す斜視図である。
【図１０】図１０は、同上のパネル支持装置を用いて、ラック上の複数のパネルの上端部を支持した状態を示す正面図である。
【図１１】図１１は、同上のパネル支持装置によって支持された複数のパネルのうちの一部を抜き出す様子を示す正面図である。
【図１２】図１２は、図１１の次の抜き出す様子を示す正面図である。
【図１３】図１３は、複数のパネルのうちの一部を抜き出した後の様子を示す正面図である。
【図１４】図１４は、上支持具の変形例を示す斜視図である。
【図１５】図１５は、上支持具の他の変形例を示す斜視図である。
【図１６】図１６は、連結具の変形例を示す正面図である。
【発明を実施するための形態】
【００１３】
以下の実施形態は、パネル支持装置に関し、詳しくは、ラック上に立て置き姿勢で間隔をあけて並んだ複数のパネルの上端部を支持して、各パネルの倒れを抑制することのできるパネル支持装置に関する。
【００１４】
（１）概要
図１には、本実施形態のパネル支持装置１が記載されている。パネル支持装置１は、ラック２と共に用いられ、ラック２上に立て置き姿勢で間隔をあけて並んだ複数のパネル３の上端部を支持することができるように構成されている。
【００１５】
パネル支持装置１は、複数のパネル３の下方に配される底部材４と、底部材４に取り付けられる少なくとも１つの支柱５と、複数のパネル３の上端部のそれぞれに被せられ、互いに連結可能である複数の上支持具６と、複数のパネル３の側方に配され、複数の上支持具６のうちの１つを支える側部材７と、を備える。
【００１６】
以下では、図１に示す状態を基準として、複数のパネル３が並ぶ方向を左右方向とし、この左右方向に対して直交する水平方向を前後方向として、各構成について説明する。
【００１７】
（２）各構成についての説明
（２−１）ラック
ラック２は、立て置き姿勢の複数のパネル３を下から支える底材２０と、立て置き姿勢の複数のパネル３の側方（本実施形態では左方）に位置する側材２１とを含む。側材２１は、底材２０の側端部（本実施形態では左端部）に直角に設けられており、側材２１と底材２０は、正面視にて（前方から視て）Ｌ字状に連続している。本実施形態では、底材２０と側材２１のそれぞれは、矩形枠状であり、複数の角形鋼管を溶接やねじ止め等で固定して形成される。
【００１８】
底材２０の右側の端部と、側材２１の上端部のそれぞれには、クレーン等に接続される接続部２２が設けられている。各接続部２２は、本実施形態では、ねじの頭部がリング形状に設けられたアイボルトであるが、フックや孔で構成されてもよい。各接続部２２は、クレーン等を用いてラック２を回転させるときに用いられる。
【００１９】
ラック２の底材２０と立て置き姿勢の複数のパネル３との間には、隙間形成部材２３が装着されている。隙間形成部材２３は、立て置き姿勢で並んだ複数のパネル３を、隣接するパネル３間に所定の隙間が形成されるように移動させるための部材である。
【００２０】
図２Ａ、図２Ｂには、隙間形成部材２３の一例が示されている。図２Ａは、隙間形成部材２３を操作した後の、立て置き姿勢の複数のパネル３が等間隔に間隔をあけて並ぶ状態が示されており、図２Ｂは、隙間形成部材２３を操作する前の、立て置き姿勢の複数のパネル３が重なって並ぶ状態が示されている。
【００２１】
隙間形成部材２３は、互いに接続可能な複数のパーツ２４で構成される。複数のパーツ２４のそれぞれは、対応する１つのパネル３を、底材２０に接触しないように支持するように設けられている。複数のパーツ２４は、形状及び寸法が互いに同一である。各パーツ２４は、下方に開口したコ字状の凹部２４０と、凹部２４０に連続したＬ字状の引っ掛け片２４１と、凹部２４０から上方に突出した受け片２４２を有する。
【００２２】
複数のパーツ２４は、図２Ａに示すように、左右に並ぶパーツ２４同士が、右側のパーツ２４の凹部２４０の内側の側面（左側面）に、左側のパーツ２４の引っ掛け片２４１が接する状態にあるとき、左右に並ぶパーツ２４同士の受け片２４２間の間隔が所定間隔となる。このとき、各パーツ２４上のパネル３は、受け片２４２に右側から当たった状態で位置決めされ、これにより、左右に並ぶパネル３間に、所定間隔の隙間が形成される。
【００２３】
複数のパーツ２４は、図２Ｂに示す接続状態から、図２Ａに示す接続状態へと移動可能である。図２Ｂに示す接続状態にある複数のパーツ２４のうち、右端に位置するパーツ２４を右方に移動させることで、複数のパーツ２４は、右に位置するものから順に右方へと移動して、図２Ａに示す接続状態へと移動することができる。
【００２４】
上述したラック２と隙間形成部材２３とを用いて、ラック２上に、複数のパネル３を立て置き姿勢で間隔をあけて並ぶ状態に配置することができる。なお、ラック２上への複数のパネル３の配置は、パネル支持装置１を設置する前に行われる。以下、複数のパネル３の配置方法の一例について説明する。
【００２５】
まず、ラック２を、側材２１が倒伏し、底材２０が側材２１の右端部から起立する第一姿勢に配置する。次いで、ラック２の側材２１上に、複数のパネル３を平置き姿勢で重ねて載せる。この平置き姿勢の複数のパネル３のうち、底材２０側を向く側端部に対して、隙間形成部材２３の複数のパーツ２４を取り付ける。このとき、平置き姿勢の複数のパネル３に対して、上側に位置するパネル３から順にパーツ２４を取り付け、このとき、上側に位置するパーツ２４の凹部２４０内に、その１つ下側に位置するパーツ２４の引っ掛け片２４１を挿入することで、隙間形成部材２３が複数のパネル３に装着される。なおこのとき、各パーツ２４は、対応するパネル３の後述する覆い部３１の上に、凹部２４０と受け片２４２を載せることで、対応するパネル３に対して取り付けられる。
【００２６】
このように平置き姿勢の複数のパネル３に隙間形成部材２３を装着した状態で、複数のパネル３を隙間形成部材２３を介して底材２０に当てることで、ラック２の底材２０と複数のパネル３との間に隙間形成部材２３が装着される。
【００２７】
次いで、第一姿勢にあるラック２を回転させて、底材２０が倒伏し、側材２１が底材２０の左端部から起立する第二姿勢に配置する。このようにラック２を第二姿勢とすることで、図２Ｂに示すように、隙間形成部材２３の上に複数のパネル３が立て置き姿勢で重なった状態で並ぶ（間隔をあけずに並ぶ）。この状態で、隙間形成部材２３を操作することで、図２Ａに示すように、複数のパネル３は立て置き姿勢で等間隔に間隔をあけて並ぶ。
【００２８】
なお、ラック２上への複数のパネル３の配置は、上記方法に限らず、例えば、ラック２は回転させずに、底材２０上に隙間形成部材２３を載せ、隙間形成部材２３の上に立て置き姿勢で重なった状態の複数のパネルを載せ、その後、隙間形成部材２３を操作する方法であってもよい。
【００２９】
（２−２）パネル
複数のパネル３のそれぞれは、外壁材、屋根材等であり、建物の躯体に取り付けられる。本実施形態では、複数のパネル３は、形状及び大きさが、互いに同一であるが、前後方向の長さが互いに異なってもよい。
【００３０】
図１に示すように、パネル３は、略矩形状の板材であり、前後方向に沿った長手方向を有し、上下方向に沿った短手方向を有し、左右方向に沿った厚み方向を有する。パネル３の前後方向の長さは、ラック２の前後方向の長さよりも長い。パネル３は、前後方向の中央部分が、ラック２上に積載される。パネル３の前後方向の長さは、例えば、３〜７ｍである。
【００３１】
図３に示すように、パネル３は、その下端部に、下方に突出した凸部３０と覆い部３１を有する。覆い部３１は、凸部３０よりも左側に位置し、凸部３０よりも下方に突出している。パネル３は、その上端部に、上方に開口した凹部３２と、右方に凹んだ凹段部３３を有する。パネル３において、凸部３０と凹部３２の左右方向の位置は互いに同じであり、覆い部３１と凹段部３３の左右方向の位置は互いに同じである。パネル３は、前後方向に亘って、凸部３０、覆い部３１、凹部３２、及び凹段部３３を有する。
【００３２】
パネル３は、上下に２枚並べて接続したときに、上側のパネル３の凸部３０が、下側のパネル３の凹部３２に嵌まり、上側のパネル３の覆い部３１が、下側のパネル３の凹段部３３内に収まるように構成されている。
【００３３】
本実施形態では、パネル３は、２枚の金属板３４，３５の間に芯材３６を挟んだサンドイッチパネルである。金属板３４，３５のそれぞれは、フラットな金属板をロール加工やプレス加工をすることによって所望の形状で形成されたものである。フラットな金属板は、厚みが０．２７〜１．６ｍｍ程度であって、塗装鋼板、亜鉛めっき鋼板、アルミニウム−亜鉛合金めっき鋼板、ガルバリウム鋼板（登録商標）、エスジーエル（登録商標）鋼板等であるが、これに限定されない。
【００３４】
芯材３６は、樹脂発泡体または繊維状無機材またはその組み合わせであり、断熱性や耐火性を有する。樹脂発泡体は、例えば、ポリイソシアヌレートフォームやウレタンフォームやフェノールフォームなどである。繊維状無機材は、例えば、ロックウールやグラスウールなどをバインダー等で固めたブロック体を複数並べて１枚の板状に配置したものである。芯材３６のうちパネル３の周端部に位置する芯材は、例えば、石膏や珪酸カルシウムなどの耐火性の高い無機材である。
【００３５】
凹部３２は、金属板３４の上端部を所定形状に折り曲げて形成した側壁３２０と、金属板３５の上端部を所定形状に折り曲げて形成した側壁３２１とを含む。各側壁３２０，３２１の内部は、中空であり、芯材３６が充填されていない。
【００３６】
凸部３０は、金属板３４の下側の先端部と、金属板３５の下側の先端部と、この間に位置する芯材３６とで構成される。覆い部３１は、金属板３４の一部をＵ字状に折り曲げて形成され、内部は中空であり、芯材３６が充填されていない。
【００３７】
凹段部３３は、金属板３４の一部を折り曲げて形成されている。凹段部３３には、建物の躯体にパネル３を取り付けるときに、ねじ、釘等の固定具が打ち込まれる。凹段部３３に打ち込まれた固定具の頭部は、凹段部３３内に配される上側のパネル３の覆い部３１によって覆い隠される。
【００３８】
パネル３は、金属板３４の表面（左面）に、疵付き防止用のフィルムが貼られている。フィルムは、パネル３を建物の躯体に取り付ける直前や、取り付けた後にパネル３から剥がされる。
【００３９】
パネル３は、ラック２に積載される前に、例えば、平置き姿勢のスペーサー８（図１参照）上に、平置き姿勢で複数積み重なるように配される。このとき、複数のパネル３のそれぞれは、金属板３４が下側（スペーサー８側）を向くように配される。スペーサー８は、スキッド、パレット等である。
【００４０】
（２−３）パネル支持装置
図１、図４、図５に示すように、パネル支持装置１は、底部材４と、一対の側部材７と、少なくとも１つの支柱５と、複数の上支持具６と、連結具９と、第二連結具１０を備える。
【００４１】
（２−３−１）底部材
底部材４には、支柱５の下端部が取り付け可能である。底部材４は、取り付けられた状態の支柱５を起立姿勢に保持するように設けられている。
【００４２】
本実施形態では、底部材４は、その上面に上方に開口した長溝４０を有する。長溝４０は、底部材４の長手方向に亘っている。長溝４０は、立て置き姿勢で間隔をあけて並ぶ複数のパネル３の左右方向の全体の下方に位置する。長溝４０の長手方向の一部は、残りの部分に比べて溝幅（前後方向の長さ）の大きい抜き出し部４１となっている。本実施形態では、長溝４０の左右の端部が、抜き出し部４１を構成している。長溝４０のうち、左右の端部を除く残りの部分は、溝幅が一定であり、この部分が、支柱５の下端部が嵌め込まれる嵌め込み部４２を構成している。
【００４３】
本実施形態では、底部材４は、支柱５が取り付けられる本体４３と、本体４３の左右の端部に接続される一対の端部パーツ４４とで構成されている。本体４３の上面に嵌め込み部４２が設けられ、一対の端部パーツ４４のそれぞれの上面に抜き出し部４１が設けられている。
【００４４】
図６、図７に示すように、本体４３は、本実施形態では、上方に開口した肉厚の下部パーツ４３０と、下部パーツ４３０に取り付けられる薄厚の上部パーツ４３１とで構成される。
【００４５】
下部パーツ４３０は、底板４３０ａと、底板４３０ａの前端部から上方に延長された前板４３０ｂと、底板４３０ａの後端部から上方に延長された後板４３０ｃと、後板４３０ｃの上端部から後方に延長された上板４３０ｄを含む。底板４３０ａ、前板４３０ｂ、後板４３０ｃ、上板４３０ｄのそれぞれは、矩形板状である。下部パーツ４３０は、例えば１枚の肉厚の鋼板を折り曲げ加工して形成される。
【００４６】
上部パーツ４３１は、下部パーツ４３０の上板４３０ｄに載せられる上板４３１ａと、上板４３１ａの前端部から下方に延長された前板４３１ｂと、上板４３１ａの後端部から下方に延長された後板４３１ｃと、前板４３１ｂの後面に固定されたスペーサー４３１ｄを含む。上板４３１ａ、前板４３１ｂ、後板４３１ｃのそれぞれは、矩形板状であり、スペーサー４３１ｄは、側方から視て（右側から視て）前方に開口したハット状である。上板４３１ａ、前板４３１ｂ、及び後板４３１ｃは、例えば１枚の薄厚の鋼板を折り曲げ加工して形成され、スペーサー４３１ｄは、例えば１枚の薄厚の鋼板を折り曲げ加工して形成される。
【００４７】
上部パーツ４３１は、上板４３１ａが下部パーツ４３０の上板４３０ｄに載せられ、後板４３１ｃとスペーサー４３１ｄとで、下部パーツ４３０の後板４３０ｃと上板４３０ｄを前後から挟み込むことで、下部パーツ４３０に取り付けられる。なお、上部パーツ４３１は、下部パーツ４３０に対して溶接や接着等で固定してもよい。上部パーツ４３１の前板４３１ｂと下部パーツ４３０の前板４３０ｂとの間に、上方に開口した溝が形成され、この溝が長溝４０の嵌め込み部４２を構成する。
【００４８】
下部パーツ４３０に上部パーツ４３１を取り付けた状態で、上部パーツ４３１の上板４３１ａは、下部パーツ４３０の前板４３０ｂの上端よりも下方に位置する。上部パーツ４３１の上板４３１ａは、支柱５の下端部を嵌め込み部４２へと案内するガイドを構成している。
【００４９】
一対の端部パーツ４４のそれぞれは、左右方向に沿った長手方向を有し、かつ上方に開口した半角筒状である。右側の端部パーツ４４の左半部の内側に、本体４３の右端部が嵌め込まれ、左側の端部パーツ４４の右半部の内側に、本体４３の左端部が嵌め込まれる。一対の端部パーツ４４のそれぞれは、本体４３に対して着脱可能である。
【００５０】
一対の端部パーツ４４のうち、本体４３が内側に位置しない部分の上端開口が、長溝４０の抜き出し部４１を構成する。一対の端部パーツ４４のそれぞれは、例えば１枚の肉厚の鋼板を折り曲げ加工して形成される。
【００５１】
（２−３−２）側部材
図４、図５に示すように、一対の側部材７のそれぞれは、柱状の本体７０と、本体７０と一体に設けられて、本体７０を起立姿勢に保持する脚部７１とを有する。本体７０は、例えば角形鋼管で構成される。
【００５２】
脚部７１は、本実施形態では、複数の角型鋼管と、直角三角形状の板とで構成されている。本体７０の下端部の左右方向内側の面には、底部材４の端部パーツ４４が溶接等で固定されている。そのため、端部パーツ４４は、本体７０を起立姿勢に保持する機能も有している。一対の側部材７のそれぞれは、底部材４の本体４３に対して着脱可能である。
【００５３】
一対の側部材７のうちの右側の側部材７には、第二連結具１０が接続される接続部７２が設けられている。接続部７２は、例えばＬ字状の片で構成される。
【００５４】
（２−３−３）支柱
支柱５は、図５、図８に示すように、底部材４に取り付けられる下端部を有し、且つその上部に受け部５０を有する。パネル支持装置１は、複数のパネル３の数と同数の支柱５を備える。複数の支柱５は、形状及び寸法が互いに同一である。
【００５５】
支柱５は、角棒状の本体５１と、本体５１の下端部に固定された位置決め部５２と、本体５１の上部に固定された受け部５０とを備える。支柱５は、例えば金属製である。
【００５６】
位置決め部５２は、鉛直な矩形板状の本体５２０と、本体５２０の上端から前斜め下方に突出した上引っ掛け片５２１と、本体５２０の下端から後斜め上方に突出した下引っ掛け片５２２とを含む。位置決め部５２は、本体５１よりも左右方向に長く、左右方向の中央部が本体５１の下端部に固定されている。位置決め部５２は、例えば１枚の鋼板を折り曲げ加工して形成される。
【００５７】
本体５１の下面は、後側の部分ほど上方に位置するように傾斜した傾斜面である、本体５１の下面には、下引っ掛け片５２２が固定されている。図７に示すように、下引っ掛け片５２２の先端部（後端部）は、本体５１の下面よりも後方に僅かに突出している。
【００５８】
図８に示すように、受け部５０は、本体５１が挿通された矩形板状の下片５００と、下片５００の右端部から上方に延長された起立片５０１と、起立片５０１の上端から右方に延長された上片５０２と、下片５００の左端部から上方に延長された第二起立片５０３と、第二起立片５０３の上端から左方に延長された第二上片５０４を含む。受け部５０は、例えば１枚の鋼板を折り曲げ加工等して形成される。
【００５９】
支柱５は、その下端部を、底部材４の長溝４０の嵌め込み部４２に嵌め込むことで、底部材４に取り付けられる。支柱５は、嵌め込み部４２の長手方向の所望の部分に取り付け可能である。支柱５の下端部を嵌め込み部４２に嵌め込む際、下引っ掛け片５２２の先端部（後端部）は、上部パーツ４３１との接触によって多少の弾性変形が可能である。
【００６０】
図７に示すように、支柱５を嵌め込み部４２に取り付けた状態では、上引っ掛け片５２１が下部パーツ４３０の前板４３０ｂの上端に引っ掛かり、本体５２０が前板４３０ｂの後面に当たり、本体５１の後面が上部パーツ４３１の前板４３１ｂに当たる。またこのとき、下引っ掛け片５２２の先端部（後端部）が、上部パーツ４３１の前板４３１ｂの真下に位置し、下引っ掛け片５２２の基端部（前端部）が、下部パーツ４３０の底板４３０ａに当たる。このように支柱５が底部材４に対して取り付けられることで、支柱５の上下位置が１つに決まる。支柱５の上方への移動は、下引っ掛け片５２２の先端部（後端部）が、上部パーツ４３１の前板４３１ｂに引っ掛かることで規制され、これにより、支柱５は底部材４の本体４３から抜けにくくなっている。
【００６１】
支柱５は、嵌め込み部４２に嵌め込まれた状態で、前後方向の移動と、上下方向の移動と、本体５１周りの回転と、本体５１が起立姿勢から左右に傾く方向への回転が、いずれも規制され、左右方向への水平移動のみ許容される。支柱５は、左右の抜き出し部４１までスライド移動させることで、上方に抜き出し可能である。
【００６２】
図１、図４に示すように、支柱５は、受け部５０上に上支持具６を載せて支持することが可能である。受け部５０で支持された上支持具６と、パネル３の上端部に被せた上支持具６とは、上下位置が互いに同じとなる。
【００６３】
（２−３−４）上支持具
複数の上支持具６は、複数のパネル３の上端部のそれぞれに被せられ、互いに連結可能に設けられている。複数の上支持具６は、形状及び寸法が、互いに同一である。
【００６４】
図９Ａ、図９Ｂ、図１０に示すように、上支持具６は、１つのパネル３の上端部の一部に被せて取り付けられる第一部材６０と、第一部材６０の上から１つのパネル３の上端部に被せられる第二部材６１を含む。第一部材６０と第二部材６１のそれぞれは、例えば１枚の鋼板を折り曲げ加工等して形成される。
【００６５】
第一部材６０は、１つのパネル３の上端部の側方（本実施形態では右方）において上方に開口するように設けられた溝部６２を有する。第二部材６１は、溝部６２に接続される第一接続片６３と、１つのパネル３の上端部を挟んで第一接続片６３とは反対側に位置する第二接続片６４を有する。
【００６６】
詳しくは、図９Ａに示すように、第一部材６０は、パネル３の側壁３２１の上に載せられる矩形板状の上板６００と、上板６００の左端部から下方に延長された引っ掛け片６０１と、上板６００の右端部から下方に延長された正面視Ｕ字状の折り返し片６０２とで、構成されている。折り返し片６０２は、上板６００の右端部から下方に延長された第一側片６０３と、第一側片６０３の下端と連続する円弧状の連結片６０４と、連結片６０４から上方に延長され、第一側片６０３と平行に設けられた第二側片６０５とで構成される。第二側片６０５の上端は、第一側片６０３の上端よりも下方に位置している。折り返し片６０２で囲まれた部分が、溝部６２を構成している。
【００６７】
図９Ｂ、図１０に示すように、第二部材６１は、第一部材６０の上板６００に載せられる矩形板状の上板６１０と、上板６１０の右端部から下方に延長された第一接続片６３と、上板６１０の左端部から下方に延長された第二接続片６４で構成される。上板６１０には、支柱５の本体５１の挿通が可能な挿通孔６５が設けられている。
【００６８】
第一接続片６３と第二接続片６４は、互いに平行であり、パネル３の厚みよりも左右方向に離れて位置する。第一接続片６３と第二接続片６４は、上下長さが互いに同じである。第二接続片６４の上下長さは、折り返し片６０２の上下長さよりも短い。
【００６９】
第一部材６０は、パネル３の上端部の右の側壁３２０上に上板６００が載せられ、引っ掛け片６０１が右の側壁３２０の左面に当たって引っ掛かることで、パネル３の上端部の一部に取り付けられる。第二部材６１は、第一部材６０の上板６００上に上板６１０が載せられ、第一部材６０の溝部６２に、第一接続片６３が差し込まれることで、パネル３の上端部に取り付けられる。
【００７０】
複数のパネル３のそれぞれの上端部に取り付けられた複数の上支持具６は、左右に並ぶ２つの上支持具６同士が、左側の上支持具６の溝部６２に、右側の上支持具６の第二接続片６４が差し込まれることで、互いに連結される。
【００７１】
このとき、左側の上支持具６の溝部６２と、右側の上支持具６の第二接続片６４とは、溝部６２の溝底（連結片６０４）と第二接続片６４とが所定距離Ｌ１だけ離れ、左側の上支持具６の第二側片６０５と、右側の上支持具６の第二部材６１の上板６１０とが、所定距離Ｌ２だけ離れた状態で接続される。所定距離Ｌ１，Ｌ２のそれぞれは、引っ掛け片６０１の上下長さよりも長く、本実施形態では、所定距離Ｌ２が所定距離Ｌ１よりも短い。
【００７２】
図１１、図１２に示すように、左側の上支持具６の第一部材６０は、左側の上支持具６の溝部６２に、右側の上支持具６の第二接続片６４が差し込まれたままの状態で、所定距離Ｌ２だけ上方に持ち上げることが可能である。このように左側の上支持具６の第一部材６０を所定距離Ｌ２だけ上方に持ち上げることで、引っ掛け片６０１がパネル３の側壁３２１に引っ掛かった状態を解除することができ、パネル３の抜き出しが可能となる。
【００７３】
上支持具６は、図１３に示すように、支柱５の受け部５０上にも設置可能である。第一部材６０は、受け部５０の上片５０２に上板６００を載せ、受け部５０の起立片５０１に、引っ掛け片６０１を引っ掛けることで、受け部５０上に設置される。第二部材６１は、挿通孔６５に支柱５の本体５１が挿通される状態で、第一部材６０を介して受け部５０上に設置される。詳しくは、第二部材６１は、受け部５０上の第一部材６０の上板６００上に上板６１０が載せられ、第一部材６０の溝部６２に、第一接続片６３が差し込まれることで、受け部５０上に設置される。
【００７４】
（２−３−５）連結具
図１、図１０に示すように、連結具９は、左端に位置する上支持具６と、左の側部材７とを連結するための部材である。
【００７５】
本実施形態では、連結具９は、上方から視て後方に開口したコ字状の取付片９０と、取付片９０から右方に突出した載せ片９１と、載せ片９１の右端部から下方に突出した正面視Ｕ字状の折り返し片９２とを含む。折り返し片９２の内側に、溝部９３が形成される。
【００７６】
連結具９は、取付片９０を左の側部材７の本体７０に嵌め込み、溝部９３に、左端に位置する上支持具６の第二部材６１の第二接続片６４を差し込むことで、左端に位置する上支持具６と左の側部材７とを連結する。載せ片９１は、スペーサー８の上に載せられる。
【００７７】
このように連結具９を介して、左端に位置する上支持具６と、左の側部材７とが連結されることで、互いに連結された状態にある複数の上支持具６が、左の側部材７によって左右方向の移動が規制された状態で支持される。これにより、複数の上支持具６が被せられた複数のパネル３の倒れが抑制される。
【００７８】
（２−３−６）第二連結具
図１、図４に示すように、第二連結具１０は、右端に位置する上支持具６と、右の側部材７とを連結するための部材である。
【００７９】
本実施形態では、第二連結具１０は、正面視にて下向きに開口したコ字状の片である。第二連結具１０は、第二部材６１と形状及び寸法が同一であり、第二部材６１で代用可能である。第二連結具１０は、矩形板状の上板１００と、上板１００の右端部から下方に延長された第一接続片１０１と、上板１００の左端部から下方に延長された第二接続片１０２で構成される。
【００８０】
第二連結具１０は、第一接続片１０１を右の側部材７の接続部７２に差し込み、第二接続片１０２を右端に位置する上支持具６の溝部６２に差し込むことで、右端に位置する上支持具６と右の側部材７とを連結する。第二連結具１０は、接続部７２によって支持され、上下位置が１つに決まる。
【００８１】
このように第二連結具１０を介して、右端に位置する上支持具６と、右の側部材７とが連結されることで、互いに連結された状態にある複数の上支持具６が、右の側部材７によって左右方向の移動が規制された状態で支持される。これにより、複数の上支持具６が被せられた複数のパネル３の倒れが抑制される。
【００８２】
（３）利用方法
続いて、上述したパネル支持装置１の利用方法の一例について説明する。
【００８３】
まず、ラック２の底材２０上に、複数のパネル３を立て置き姿勢で間隔をあけて並ぶように配置する。この配置は、例えば、平置き姿勢の複数のパネル３が積載された第一姿勢のラック２をクレーン等で第二姿勢へと回転させた後、隙間形成部材２３を操作することによって行われる。
【００８４】
次いで、複数のパネル３の下方に、パネル支持装置１の底部材４の本体４３を配置する。このとき、底部材４の本体４３は、ラック２の底材２０に対して前後方向にずれた位置に配置する。次いで、本体４３の左右にそれぞれ、側部材７を配置し、各側部材７と一体の端部パーツ４４に、本体４３の左右の端部を嵌め込んで接続する。
【００８５】
次いで、複数のパネル３のそれぞれの上端部に、上支持具６を取り付ける。このとき、各上支持具６は、対応するパネル３の上端部に対して、第一部材６０を取り付けた後で、第一部材６０の上から第二部材６１を取り付ける。第二部材６１は、その下方の第一部材６０の溝部６２に第一接続片６３を挿入し、左側に並ぶ他の第一部材６０の溝部６２に第二接続片６４を挿入することで、対応するパネル３の上端部に取り付けられる。
【００８６】
左端に位置するパネル３上の上支持具６と左側の側部材７とは、連結具９を介して連結する。またこのとき、複数のパネル３のうちの、右端に位置するパネル３の上端部に取り付けられた上支持具６と、右側の側部材７とは、第二連結具１０を介して連結する。
【００８７】
互いに連結された複数の上支持具６は、連結具９と第二連結具１０を介して、左右の側部材７に対して連結される。これにより、互いに連結された複数の上支持具６は、左右の側部材７によって、左右方向への移動が規制され、複数のパネル３の倒れが抑えられる。
【００８８】
続いて、パネル３の抜き出し方法、及び一部のパネル３を抜き出した後の、パネル支持装置１による残りのパネル３の支持方法について説明する。以下では、抜き出す予定のパネル３を、パネル３ａと記載する。
【００８９】
まず、図１１に示すように、パネル３ａの上端部から、第二部材６１を取り外す。このとき、第二部材６１は、真上に持ち上げるだけで簡単に取り外すことができる。
【００９０】
次いで、図１２に示すように、パネル３ａの上端部から、第一部材６０を上方に持ち上げ、第一部材６０の引っ掛け片６０１がパネル３ａの側壁３２１に引っ掛かった状態を解除する。このとき、第一部材６０は、右側に並ぶ他の上支持具６の第二接続片６４が、溝部６２内に差し込まれた状態のまま、パネル３ａの側壁３２１から引っ掛け片６０１が離れる位置まで持ち上げ可能である。
【００９１】
次いで、第一部材６０を持ち上げた状態で、この第一部材６０を避けるように、パネル３ａを持ち上げて、パネル３ａを抜き出す。パネル３ａは、例えば、側壁３２０，３２１を挟み込んで支持するパネル支持具と、これに連結されたクレーン等を用いて、抜き出される。パネル３ａを抜き出した後には、図１３に示すように、パネル３ａの左右に位置していた２つのパネル３間に、スペースＳ１が形成される。
【００９２】
次いで、パネル支持装置１の底部材４の本体４３のうち、スペースＳ１の下方の部分に、支柱５の下端部を取り付ける。このとき、支柱５は、その下端部を、本体４３の嵌め込み部４２に上方から差し込むことで、嵌め込み部４２に対して嵌め込まれて、起立姿勢で保持される。
【００９３】
次いで、支柱５の上部の受け部５０に、第一部材６０と第二部材６１を設置する。このとき、第二部材６１の第一接続片６３を、第一部材６０の溝部６２に差し込み、第二部材６１の第二接続片６４を、左側に並ぶ他の上支持具６の溝部６２に接続する。これにより、複数のパネル３のうち、残ったパネル３上の上支持具６と、スペースＳ１に配された支柱５上の上支持具６とが、互いに連結される。
【００９４】
複数のパネル３のそれぞれは、上記の方法で抜き出し可能であり、抜き出し後に形成されるスペースＳ１には、上記の方法で、支柱５を設置して、上支持具６を取り付けることが可能である。ラック２上の複数のパネル３は、任意の順番で抜き出し可能である。
【００９５】
なお、図１に示す利用例では、ラック２の前後にパネル支持装置１を１つずつ設置している。前後一対のパネル支持装置１の設置方法は、互いに同じである。
【００９６】
（４）作用効果
以上説明した本実施形態のパネル支持装置１では、複数のパネル３の一部を抜き出した後も、複数の上支持具６が互いに連結され、かつ複数の上支持具６が左右の側部材７に支持される状態を維持でき、残りのパネル３の倒れを抑制することができる。
【００９７】
加えて、本実施形態のパネル支持装置１では、パネル３を抜き出すことによって形成されるスペースＳ１に、支柱５を設置することができるため、従来例のようにラック２上に複数の支柱５を設置するための専用スペースを確保する必要はなく、ラック２上に、パネル３を積載するスペースを広く確保することができる。
【００９８】
また、本実施形態のパネル支持装置１では、ラック２の底材２０に、支柱５を取り付けるための構造を設ける必要がないため、ラック２自体の構造の簡素化が図れる。
【００９９】
また、本実施形態のパネル支持装置１では、ラック２上に残った各パネル３上の上支持具６に対して、各支柱５によって支持される上支持具６の上下位置を合わせやすく、複数の上支持具６が互いに連結された状態を維持しやすい。
【０１００】
（５）変形例
続いて、上述したパネル支持装置１の変形例について説明する。
【０１０１】
複数の上支持具６のそれぞれは、第一部材６０と第二部材６１の２部材で構成されるものに限らず、１部材で構成されてもよく、例えば、第二部材６１の上板６１０の右端部に、第一接続片６３に代えて溝部６２（折り返し片６０２）を設けたものであってもよい。この場合、各上支持具６の取り外しは、隣接する他の上支持具６に対して前後方向に移動させて連結状態を解除した後で上方に持ち上げることで可能である。
【０１０２】
複数の上支持具６のそれぞれは、１部材で構成される場合、上方に持ち上げるだけでパネル３から取り外すことのできる構造とすることが好ましい。例えば、上支持具６は、図１４に示すように、第二部材６１と、その左右の接続片６３，６４の左右方向の外側の面に一体に設けられた平面視Ｌ字状の連結片６６とで構成されてもよい。すなわち、上支持具６は、第二部材６１と、第二部材６１と一体に設けられ、隣接する他の上支持具６に対して平面視において重ならない形態で連結される連結構造とを含んだものであってもよい。なお、連結構造は、平面視Ｌ字状の連結片６６に限定されず、その他の構造であってもよい。
【０１０３】
また、上支持具６は、図１５に示すように、第二部材６１と、上板６１０上に設けられたピン６７と、上板６１０上に回転可能に設けられたフック６８とで構成され、このフック６８が隣接する他の上支持具６のピン６７に引っ掛かることで連結されるものであってもよい。すなわち、上支持具６は、第二部材６１と、第二部材６１と一体に設けられ、隣接する他の上支持具６に対して平面視において重なる形態で連結され、かつ連結を解除した状態では、平面視において重ならない形態へと移動可能な連結構造とを含んだものであってもよい。なお、連結構造は、フック６８に限定されず、その他の構造であってもよい。
【０１０４】
底部材４の長溝４０は、抜き出し部４１を有さず、長手方向に亘って溝幅が一定であってもよい。つまり、底部材４は、本体４３のみで構成され、一対の端部パーツ４４を備えなくてもよい。また、底部材４は、その上面に長溝４０が形成されたものでなくてもよく、底部材４と支柱５の下端部とは、互いに取り付け可能なその他の構造であってもよい。
【０１０５】
底部材４と側部材７とは、着脱可能に設けられなくてもよく、底部材４に対して側部材７が溶接やねじ止め等で固定されてもよい。
【０１０６】
パネル支持装置１は、側部材７を一対ではなく１つだけ備えてもよく、この１つの側部材７で、連結状態にある複数の上支持具６のうちの１つを支えるように構成されてもよい。
【０１０７】
パネル支持装置１によって支持される各パネル３は、サンドイッチパネルに限らず、その他の材質の建築用パネルであってもよい。また、各パネル３は、上下の端部に凸部３０と凹部３２を有する構造に限らず、下端と上端のそれぞれが、凹凸の無い平坦面であってもよい。
【０１０８】
第一部材６０は、パネル３の上端部の一部に取り付けられ、かつ支柱５の受け部５０によって支持可能な構造であればよく、パネル３の上端部の形状に対応して、適宜変更可能である。例えば、第一部材６０は、パネル３の上端部の側面や、支柱５の受け部５０に対して、マグネットや吸盤等で吸着する構造であってもよい。
【０１０９】
連結具９は、図１６に示すように、左端に位置する上支持具６の第一部材６０と、左の側部材７とを連結する構造であってもよい。この場合、連結具９は、取付片９０から右方に突出した正面視Ｌ字状の引っ掛け片９４を含む。連結具９は、取付片９０を左の側部材７の本体７０に嵌め込み、引っ掛け片９４を、左端に位置する第一部材６０の溝部６２に差し込むことで、左端に位置する第一部材６０と左の側部材７とを連結する。
【０１１０】
この場合、左端に位置するパネル３は、連結具９を取り除いた後、左端のパネル３上の第一部材６０を持ち上げることで、抜き出し可能である。抜き出し後に形成されるスペースＳ１には、支柱５の設置が可能であり、支柱５の受け部５０によって支持される第一部材６０は、連結具９を介して左側の側部材７に連結可能である。
【０１１１】
（６）まとめ
以上説明した実施形態及びその変形例のパネル支持装置１のように、本発明に係る第一態様のパネル支持装置１は、下記の特徴を備える。
【０１１２】
すなわち、第一態様のパネル支持装置１は、ラック２と共に用いられ、ラック２上に立て置き姿勢で間隔をあけて並んだ複数のパネル３の上端部を支持することのできる装置である。
【０１１３】
第一態様のパネル支持装置１は、複数のパネル３の下方に配される底部材４と、底部材４に取り付けられる下端部を有し、且つその上部に受け部５０を有する少なくとも１つの支柱５と、複数のパネル３の上端部のそれぞれに被せられ、互いに連結可能である複数の上支持具６と、複数のパネル３の側方に配され、複数の上支持具６のうちの１つを支える側部材７と、を備える。受け部５０は、複数の上支持具６のうちの１つの上支持具６を支持可能である。
【０１１４】
第一態様のパネル支持装置１は、複数のパネル３のうち一部のパネル３が抜き出されてスペースＳ１が形成されたとき、底部材４のうちスペースＳ１の下方の部分に支柱５の下端部が取り付け可能であり、この支柱５の受け部５０に支持された１つの上支持具６と、これに隣接する他の上支持具６とが連結可能である。
【０１１５】
上記特徴を備えることで、第一態様のパネル支持装置１では、ラック２上の立て置き姿勢の複数のパネル３の上端部を、互いに連結された複数の上支持具６と、この中の１つを支える側部材７とで支持して、各パネル３の倒れを抑制することができる。加えて、第一態様のパネル支持装置１では、パネル３の一部が抜き出されてスペースＳ１が形成されたときには、底部材４に支柱５を取り付け、支柱５の受け部５０で上支持具６を支持して、この上支持具６を隣接する他の上支持具６と連結することができ、残りのパネル３の倒れを抑制することができる。しかもこのとき、第一態様のパネル支持装置１では、ラック２とは別部材の底部材４に支柱５を取り付けるため、従来例のようにラック上に複数の支柱の設置スペースが必要なく、ラック２上のパネル３の積載スペースを広く確保することができる。
【０１１６】
また、本発明に係る第二態様のパネル支持装置１は、第一態様のパネル支持装置１の特徴に加えて、さらに下記の特徴を備える。
【０１１７】
すなわち、第二態様のパネル支持装置１では、複数の上支持具６のそれぞれは、複数のパネル３のうちの１つのパネル３の上端部の一部に取り付けられる第一部材６０と、第一部材６０の上から１つのパネル３の上端部に被せられる第二部材６１と、を含む。
【０１１８】
第一部材６０は、１つのパネル３の上端部の側方において上方に開口するように設けられた溝部６２を有し、第二部材６１は、溝部６２に接続される第一接続片６３と、１つのパネル３の上端部を挟んで第一接続片６３とは反対側に位置する第二接続片６４と、を有する。
【０１１９】
複数の上支持具６のうち隣接する２つの上支持具６は、一方の上支持具６の溝部６２に、他方の上支持具６の第二接続片６４が接続されることで、互いに連結される。
【０１２０】
上記特徴を備えることで、第二態様のパネル支持装置１では、各パネル３の上端部から上支持具６を取り外すときに、各パネル３の上端部の全体（厚み方向の全体）を覆う第二部材６１は上方に持ち上げて簡単に取り外すことができる。そして、第二態様のパネル支持装置１では、第二部材６１を取り外した後に残る第一部材６０は、対応するパネル３の上端部の全体でなく一部に取り付けられたものであるため、対応するパネル３から取り外しやすい。したがって、第二態様のパネル支持装置１では、各パネル３の上端部から上支持具６が取り外しやすい。
【０１２１】
また、本発明に係る第三態様のパネル支持装置１は、第一態様のパネル支持装置１の特徴に加えて、さらに下記の特徴を備える。
【０１２２】
すなわち、第三態様のパネル支持装置１では、複数の上支持具６のそれぞれは、複数のパネル３のうちの１つのパネル３の上端部に被せられる部材（第二部材６１）と、この部材（第二部材６１）と一体に設けられ、隣接する他の上支持具６に対して平面視において重ならない形態で連結する連結構造（連結片６６）と、を含む。
【０１２３】
上記特徴を備えることで、第三態様のパネル支持装置１では、各パネル３の上端部から上支持具６を取り外すときに、上支持具６を上方に持ち上げるだけで簡単に取り外すことができる。
【０１２４】
また、本発明に係る第四態様のパネル支持装置１は、第一態様のパネル支持装置１の特徴に加えて、さらに下記の特徴を備える。
【０１２５】
すなわち、第四態様のパネル支持装置１では、複数の上支持具６のそれぞれは、複数のパネル３のうちの１つのパネル３の上端部に被せられる部材（第二部材６１）と、この部材（第二部材６１）と一体に設けられ、隣接する他の上支持具６に対して平面視において平面視において重なる形態で連結し、かつ連結を解除した状態で、隣接する他の上支持具６に対して平面視において重ならない形態へと移動可能な連結構造（フック６８）と、を含む。
【０１２６】
上記特徴を備えることで、第四態様のパネル支持装置１では、各パネル３の上端部から上支持具６を取り外すときに、連結構造（フック６８）を隣接する他の上支持具６に対して平面視において重ならない形態へと移動させることができ、その後、上支持具６を上方に持ち上げるだけで簡単に取り外すことができる。
【０１２７】
また、本発明に係る第五態様のパネル支持装置１は、第一乃至第四態様のいずれかのパネル支持装置１の特徴に加えて、さらに下記の特徴を備える。
【０１２８】
すなわち、第五態様のパネル支持装置１では、底部材４は、上方に開口し、複数のパネル３の下方に位置する長溝４０を有する。支柱５は、下端部が長溝４０に嵌め込まれるように構成されている。
【０１２９】
上記特徴を備えることで、第五態様のパネル支持装置１では、底部材４への支柱５の取り付けが、長溝４０の長手方向の所望の箇所に支柱５を嵌め込むだけで簡単に行える。また、第五態様のパネル支持装置１では、長溝４０に沿って支柱５を移動させることができ、支柱５で支持される上支持具６を、隣接する他の上支持具６に対して連結される位置へ配置しやすい。
【０１３０】
また、本発明に係る第六態様のパネル支持装置１は、第五態様のパネル支持装置１の特徴に加えて、さらに下記の特徴を備える。
【０１３１】
すなわち、第六態様のパネル支持装置１では、長溝４０の長手方向の一部は、残りの部分よりも溝幅が大きい抜き出し部４１である。支柱５は、抜き出し部４１を通じて抜き出し可能である。
【０１３２】
上記の特徴を備えることで、第六態様のパネル支持装置１では、長溝４０のうち、支柱５が嵌め込まれる部分の溝幅を支柱５の外寸に合わせやすくて、支柱５の取付強度を高めやすいうえ、支柱５の取り外しは、抜き出し部４１を通じて簡単に行うことができる。
【０１３３】
以上、本発明を添付図面に示す形態に基づいて説明したが、本発明は上記の形態に限定されるものではなく、本発明の意図する範囲内であれば、適宜の設計変更が可能である。
【符号の説明】
【０１３４】
１      パネル支持装置
２      ラック
３      パネル
４      底部材
４０    長溝
４１    抜き出し部
５      支柱
５０    受け部
６      上支持具
６０    第一部材
６１    第二部材
６２    溝部
６３    第一接続片
６４    第二接続片
７      側部材
【図１】
2019116316.tif 000003
【図２】
2019116316.tif 000004
【図３】
2019116316.tif 000005
【図４】
2019116316.tif 000006
【図５】
2019116316.tif 000007
【図６】
2019116316.tif 000008
【図７】
2019116316.tif 000009
【図８】
2019116316.tif 000010
【図９】
2019116316.tif 000011
【図１０】
2019116316.tif 000012
【図１１】
2019116316.tif 000013
【図１２】
2019116316.tif 000014
【図１３】
2019116316.tif 000015
【図１４】
2019116316.tif 000016
【図１５】
2019116316.tif 000017
【図１６】
2019116316.tif 000018